【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
分散型ソーシャルネットワークを提供する方法であって、該方法は、
複数のユーザメンバーにそれぞれ対応する複数の中核ユーザメンバー識別子を生成することと、
複数のソーシャルネットワーキングコミュニティにそれぞれ対応する複数のコミュニティ識別子を生成することと、
該複数の中核ユーザメンバー識別子にそれぞれ対応する複数の中核プロファイルを記憶することであって、該複数の中核プロファイルの各々は、コミュニティ情報と、友達情報と、コンテンツ情報とを含む、ことと
を含み、
該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、方法。
【請求項２】
前記複数の中核プロファイルのコミュニティ情報は、前記複数のコミュニティ識別子のうちの２つ以上を含む、請求項１に記載の方法。
【請求項３】
コミュニティ情報を中核プロファイルに追加するリクエストを受信することであって、該リクエストは、中核メンバー識別子とコミュニティ識別子とを含む、ことと、
該コミュニティ識別子を含むように、前記中核ユーザメンバー識別子に対応する中核プロファイルのコミュニティ情報を更新することと、
該中核ユーザメンバー識別子に対応する該中核プロファイルの更新されたコミュニティ情報を記憶することと
をさらに含む、請求項１に記載の方法。
【請求項４】
前記中核ユーザメンバー識別子に対応する前記中核プロファイルの前記コミュニティ情報の前記複数のコミュニティ識別子のうちの１つ以上を含むウェブページを提供することをさらに含む、請求項３に記載の方法。
【請求項５】
前記ウェブページは、
前記中核ユーザメンバー識別子に対応する前記中核プロファイルの前記コミュニティ情報に含まれる、前記複数のコミュニティ識別子のうちの１つ以上にそれぞれ対応する１つ以上の視覚的アイコンと、
該中核ユーザメンバー識別子に対応する該中核プロファイルの該コミュニティ情報に含まれる、該複数のコミュニティ識別子のうちの１つ以上にそれぞれ対応する１つ以上のコミュニティ待ち受けウェブページへの１つ以上のリンクと
のうちの１つ以上を含む、請求項４に記載の方法。
【請求項６】
中核ユーザメンバー識別子を受信することと、
該中核ユーザメンバー識別子に対応する中核ユーザプロファイルのコンテンツ情報を取り出すことと、
該中核ユーザメンバー識別子に対応する該中核ユーザプロファイルの友達情報を取り出すことと、
該中核ユーザメンバー識別子に対応する該中核ユーザプロファイルの該友達情報に含まれる、該複数の中核ユーザメンバー識別子のうちの１つ以上に対応する１つ以上の中核ユーザプロファイルのコンテンツ情報を取り出すことと、
該中核ユーザメンバー識別子に対応する該中核ユーザプロファイルの該コンテンツ情報と、該中核ユーザメンバー識別子に対応する該中核ユーザプロファイルの該友達情報に含まれる、該複数の中核ユーザメンバー識別子のうちの該１つ以上に対応する該１つ以上の中核ユーザプロファイルの該コンテンツ情報とを出力することと
をさらに含む、請求項１に記載の方法。
【請求項７】
コンテンツアイテムに関連する複数の投票を受信することであって、該複数の投票は、第１のソーシャルネットワーキングコミュニティの登録ユーザメンバーと、該第１のソーシャルネットワーキングコミュニティとは異なる第２のソーシャルネットワーキングコミュニティの登録ユーザメンバーと、第３のソーシャルネットワーキングコミュニティのウェブページへの未登録訪問者とのうちの２つ以上から受信される、ことと、
該複数の投票の合計を決定することと、
該複数の投票の該合計を含むように、該コンテンツアイテムに関連するメタデータを更新することと
をさらに含む、請求項１に記載の方法。
【請求項８】
前記複数のコンテンツアイテムの各々に関連するメタデータは、他の中核ユーザメンバー識別子に対応する中核プロファイルのコンテンツ情報に該コンテンツアイテムが追加され得るかどうかを示す許可を含む、請求項１に記載の方法。
【請求項９】
１つ以上のタスクを実施するようにソフトウェアツールを提供することをさらに含み、
該１つ以上のタスクは、
前記複数のソーシャルネットワーキングコミュニティのうちの１つに対応するウェブサイトを作成することと、
既存のメンバーウェブページに情報を追加することと、
既存のメンバーウェブページから情報を削除することと、
既存のメンバーウェブページの情報を修正することと、
外部ウェブサイトから発見された情報が既存のメンバーウェブページ上で体験され得るかどうかを制御することと、
既存のメンバーのウェブページに１つ以上の加入者機能を追加することと
のうちの１つ以上を含む、請求項１に記載の方法。
【請求項１０】
前記１つ以上の加入者機能は、
前記メンバーウェブサイト内でテキストコンテンツを検索する機能と、
別のメンバーウェブサイト内でテキストコンテンツを検索する機能と、
該メンバーウェブサイト内でビデオコンテンツを検索する機能と、
別のメンバーウェブサイト内でビデオコンテンツを検索する機能と、
該メンバーウェブサイト内でオーディオコンテンツを検索する機能と、
別のメンバーウェブサイト内でオーディオコンテンツを検索する機能と、
該メンバーウェブサイト内で写真コンテンツを検索する機能と、
別のメンバーウェブサイト内で写真コンテンツを検索する機能と、
該メンバーウェブサイト内でフィードコンテンツを検索する機能と、
別のメンバーウェブサイト内でフィードコンテンツを検索する機能と、
該メンバーウェブサイトの加入者の加入者プロファイルを検索する機能と、
別のメンバーウェブサイトの加入者の加入者プロファイルを検索する機能と、
該メンバーウェブサイトの加入者の間での議論を可能にする機能と、
該メンバーウェブサイトの加入者の間での議論を管理する機能と、
該メンバーウェブサイトに提示された情報を整理する機能と、
該メンバーウェブサイトに提示されるビデオカテゴリを整理する機能と、
該メンバーウェブサイトに提示されるオーディオカテゴリを整理する機能と、
該メンバーウェブサイトに提示される写真カテゴリを整理する機能と、
該メンバーウェブサイトに提示されるフィードカテゴリを整理する機能と、
訪問者が該メンバーウェブサイトの加入者になることを可能にする機能と、
該メンバーウェブサイトの加入者が、該加入者に対応する加入者プロファイルを作成または編集することを可能にする機能と、
該メンバーウェブサイトの加入者が、該メンバーウェブサイトの他の加入者の加入者プロファイルを閲覧することを可能にする機能と、
該メンバーウェブサイトの加入者が、該加入者に対応する加入者プロファイルで１人以上の友達を指定することを可能にする機能と、
コンテンツが該メンバーウェブサイトの別の加入者によって体験され得るように、該メンバーウェブサイトの加入者が、コンテンツを該メンバーウェブサイトに追加することを可能にする機能と、
メッセージが該メンバーウェブサイトの加入者の間で送信されることを可能にする機能と、
メッセージが該メンバーウェブサイトの加入者と別のメンバーウェブサイトの加入者との間で送信されることを可能にする機能と、
該メンバーウェブサイトの加入者が、該メンバーウェブサイトからのコンテンツを体験することを可能にする機能であって、該コンテンツは、テキストコンテンツと、ビデオコンテンツと、オーディオコンテンツと、写真コンテンツと、フィードコンテンツとの任意の組み合わせを含む、機能と
のうちの１つ以上を含む、請求項９に記載の方法。
【請求項１１】
前記複数のコミュニティ識別子にそれぞれ対応する複数のコミュニティプロファイルを記憶することをさらに含み、
該複数のコミュニティプロファイルの各々は、前記複数のソーシャルネットワーキングコミュニティのうちの１つに対する、ウェブページビューレポートと、ユーザアクティビティレポートと、収益レポートと、最も人気のあるコンテンツレポートとのうちの少なくとも１つを含む、請求項１に記載の方法。
【請求項１２】
中核プロファイルにコンテンツアイテム情報を追加するリクエストを受信することであって、該リクエストは、中核メンバー識別子とコンテンツアイテムに関連するコンテンツアイテム情報とを含む、ことと、
該リクエストの該コンテンツアイテム情報を含むように、該中核ユーザメンバー識別子に対応する中核プロファイルのコンテンツ情報を更新することと、
該中核ユーザメンバー識別子に対応する該中核プロファイルの更新されたコンテンツ情報を記憶することと
をさらに含む、請求項１に記載の方法。
【請求項１３】
前記コンテンツアイテムがある区分のユーザメンバーにより体験されるために好適であるかどうかを決定することと、
該コンテンツアイテムが該区分のユーザメンバーにより体験されるために好適であると決定された場合、前記リクエストの前記コンテンツアイテム情報を含むように、前記中核ユーザメンバー識別子に対応する前記中核プロファイルの前記コンテンツ情報を更新することと、
該コンテンツアイテムが該区分のユーザメンバーにより体験されるために好適であると決定された場合、該中核ユーザメンバー識別子に対応する該中核プロファイルの更新されたコンテンツ情報を記憶することと
をさらに含む、請求項９に記載の方法。
【請求項１４】
前記コンテンツアイテムが前記区分のユーザメンバーにより体験されるために好適ではないと決定された場合、前記リクエストの前記コンテンツアイテム情報は、前記中核ユーザメンバー識別子に対応する前記中核プロファイルのコンテンツ情報から除外される、請求項１０に記載の方法。
【請求項１５】
前記コンテンツアイテムは、テキストコンテンツアイテムと、ビデオコンテンツアイテムと、オーディオコンテンツアイテムと、写真コンテンツアイテムとのうちの１つである、請求項９に記載の方法。
【請求項１６】
コンテンツ情報を整理するリクエストを受信することであって、該リクエストは、中核ユーザメンバー識別子と、前記複数のコンテンツアイテムのうちの少なくとも１つに関連する視覚的レイアウトを特定する命令とを含む、ことと、
該リクエストに基づいて、該中核ユーザメンバー識別子に対応する中核プロファイルのコンテンツ情報を更新することと、
該リクエストに基づいて、該中核ユーザメンバー識別子に対応する該中核プロファイルの該更新されたコンテンツ情報を記憶することと
をさらに含む、請求項１に記載の方法。
【請求項１７】
コンテンツ情報を更新するリクエストを受信することであって、該リクエストは、中核ユーザメンバー識別子と、前記複数のコンテンツアイテムのうちの少なくとも１つに関連するメタデータを更新する命令とを含む、ことと、
該リクエストに基づいて、該中核ユーザメンバー識別子に対応する中核プロファイルのコンテンツ情報を更新することと、
該リクエストに基づいて、該中核ユーザメンバー識別子に対応する該中核プロファイルの該更新されたコンテンツ情報を記憶することと
をさらに含む、請求項１に記載の方法。
【請求項１８】
コンテンツ情報を整理するリクエストを受信することであって、該リクエストは、コミュニティメンバー識別子と、前記複数のコンテンツアイテムのうちの少なくとも１つに関連する視覚的レイアウトを特定する命令とを含む、ことと、
該リクエストに基づいて、該コミュニティ識別子に対応するコミュニティプロファイルのコンテンツ情報を更新することと、
該リクエストに基づいて、該コミュニティ識別子に対応する該コミュニティプロファイルの該更新されたコンテンツ情報を記憶することと
をさらに含む、請求項１に記載の方法。
【請求項１９】
コンテンツ情報を整理するリクエストを受信することであって、該リクエストは、コミュニティメンバー識別子と、少なくとも１つのコンテンツアイテムに関連するコンテンツ情報を更新する命令とを含む、ことと、
該リクエストに基づいて、該コミュニティ識別子に対応するコミュニティプロファイルのコンテンツ情報を更新することと、
該リクエストに基づいて該コミュニティ識別子に対応する該コミュニティプロファイルの該更新されたコンテンツ情報を記憶することと
をさらに含む、請求項１に記載の方法。
【請求項２０】
前記コミュニティ識別子に対応する前記コミュニティプロファイルは、コンテンツ情報がユーザメンバーによって整理され得るかどうかを示す許可を含み、
コンテンツ情報の更新は、該コンテンツ情報がユーザメンバーによって整理され得ることを該許可が示す場合に起こる、請求項１に記載の方法。
【請求項２１】
中核ユーザメンバー識別子に対応する中核プロファイルのコンテンツ情報を取り出すことであって、該中核プロファイルのコミュニティ情報は、前記ネットワークの第１のソーシャルネットワーキングコミュニティに対応する第１のコミュニティ識別子を含む、ことと、
該コンテンツ情報に対応するコンテンツアイテムを取り出すことと、
該コンテンツアイテムを含むウェブページを提供することであって、該ウェブページは、該第１のソーシャルネットワーキングコミュニティとは異なる第２のソーシャルネットワーキングコミュニティに関連する、ことと
をさらに含む、請求項１に記載の方法。
【請求項２２】
プロセッサと、分散型ソーシャルネットワークを提供することを該プロセッサに行わせるための制御論理を記憶するメモリとを含むコンピュータシステムであって、該制御論理は、
複数のユーザメンバーにそれぞれ対応する複数の中核ユーザメンバー識別子を生成することを該プロセッサに行わせるための第１のコンピュータ読み取り可能プログラムコードと、
複数のソーシャルネットワーキングコミュニティにそれぞれ対応する複数のコミュニティ識別子を生成することを該プロセッサに行わせるための第２のコンピュータ読み取り可能プログラムコードと、
複数の中核ユーザメンバー識別子にそれぞれ対応する複数の中核プロファイルを記憶することを該プロセッサに行わせるための第３のコンピュータ読み取り可能プログラムコードであって、該複数の中核プロファイルの各々は、コミュニティ情報と、友達情報と、コンテンツ情報とを含む、第３のコンピュータ読み取り可能プログラムコードと
を含み、
該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、コンピュータシステム。
【請求項２３】
ソーシャルネットワーキングコミュニティのネットワーク内で共有されるコンテンツアイテムのフィードを作成する方法であって、
フィードを作成するリクエストをサーバで受信することであって、該リクエストは、ソーシャルネットワーキングコミュニティの登録メンバーから受信される、ことと、
該フィードを提示するための情報を該サーバで受信することであって、該情報は、タイトルと、視覚的アイコンと、説明と、フラグとのうちの少なくとも１つを含む、ことと、
該サーバによりアクセス可能なデータベースに、該フィードを提示するための該情報を記憶することと、
該フィードにコンテンツアイテムを追加する複数のリクエストを該サーバで受信することであって、該複数のリクエストは、テキストコンテンツアイテムと、ビデオコンテンツアイテムと、オーディオコンテンツアイテムと、写真コンテンツアイテムとのうちの１つ以上の任意の組み合わせを含む、ことと、
該データベースに、該フィードと関連し、かつ、該登録メンバーと関連して、該複数のリクエストに含まれる各コンテンツアイテムを記憶することであって、各コンテンツアイテムは、該ソーシャルネットワーキングコミュニティへの訪問者が体験するための所望のコンテンツを生成するように該サーバにより使用可能である、ことと、
各コンテンツアイテムに対して、タイトルと、視覚的アイコンと、説明と、フラグとのうち少なくとも１つを示すフィード提示を含むウェブページを提供することと
を含む、方法。
【請求項２４】
前記フィードは、コミュニティフィードであり、
該コミュニティフィードを作成する前記リクエストは、前記ソーシャルネットワーキングコミュニティの登録発行元メンバーから受信される、請求項２３に記載の方法。
【請求項２５】
前記フィードは、ユーザメンバーフィードであり、
該ユーザメンバーフィードを作成する前記リクエストは、前記ソーシャルネットワーキングコミュニティの登録ユーザメンバーから受信される、請求項２３に記載の方法。
【請求項２６】
少なくとも１つのコンテンツアイテムは、前記訪問者が体験するための所望のコンテンツを生成する外部サーバへのリンク、友達ユーザメンバーに関連するサムネイル画像、友達ユーザメンバーに関連する表示名、プレイリスト、フォトアルバム、または、音楽アルバムである、請求項２３に記載の方法。
【請求項２７】
前記ソーシャルネットワーキングコミュニティに対応する複数のコミュニティフィードを提示するための情報を前記データベースに記憶することをさらに含む、請求項２４に記載の方法。
【請求項２８】
前記フィードの各コンテンツアイテムに対して、指定のカテゴリに属する訪問者が前記コンテンツアイテムを体験することを許容されているかどうかを決定するために使用されるフラグを、前記データベースに記憶することをさらに含む、請求項２３に記載の方法。
【請求項２９】
前記ウェブページ内にマルチメディアレンダラを提供することをさらに含み、該マルチメディアレンダラは、ユーザが前記コンテンツアイテムを体験し得るように、前記フィードのコンテンツアイテムを処理するように構成されている、請求項２３に記載の方法。
【請求項３０】
前記フィードのコンテンツアイテムのタイトル、視覚的アイコン、または、説明が選択されると、該フィードからの情報を外部マルチメディアレンダラに転送することをさらに含む、請求項２３に記載の方法。
【請求項３１】
コンテンツアイテムを更新されたバージョンの該コンテンツアイテムと置き換えることにより、前記データベースに記憶された該コンテンツアイテムを更新することをさらに含む、請求項２３に記載の方法。
【請求項３２】
コンテンツアイテムを追加する前記複数のリクエストのうちの１つが前記サーバで受信されるようにするブックマークレットを提供することをさらに含む、請求項２３に記載の方法。
【請求項３３】
プロセッサと、ソーシャルネットワーキングコミュニティのネットワーク内で共有されるコンテンツアイテムのフィードを作成することを該プロセッサに行わせるための制御論理を記憶するメモリとを含むコンピュータシステムであって、該制御論理は、
フィードを作成するリクエストをサーバで受信することを該プロセッサに行わせるための第１のコンピュータ読み取り可能プログラムコードであって、該リクエストは、ソーシャルネットワーキングコミュニティの登録メンバーから受信される、第１のコンピュータ読み取り可能プログラムコードと、
該フィードを提示するための情報を該サーバで受信することを該プロセッサに行わせるための第２のコンピュータ読み取り可能プログラムコードであって、該情報は、タイトルと、視覚的アイコンと、説明と、フラグとのうちの少なくとも１つを含む、第２のコンピュータ読み取り可能プログラムコードと、
該フィードを提示するための該情報を、該サーバによりアクセス可能なデータベースに記憶することを該プロセッサに行わせるための第３のコンピュータ読み取り可能プログラムコードと、
該フィードにコンテンツアイテムを追加する複数のリクエストを該サーバで受信することを該プロセッサに行わせるための第４のコンピュータ読み取り可能プログラムであって、該複数のリクエストは、テキストコンテンツアイテムと、ビデオコンテンツアイテムと、オーディオコンテンツアイテムと、写真コンテンツアイテムとのうちの１つ以上の任意の組み合わせを含む、第４のコンピュータ読み取り可能プログラムと、
該複数のリクエストに含まれる各コンテンツアイテムを、該データベースに、該フィードと関連し、かつ、該登録メンバーと関連して記憶することを該プロセッサに行わせるための第５のコンピュータ読み取り可能プログラムコードであって、各コンテンツアイテムは、該ソーシャルネットワーキングコミュニティへの訪問者が体験する所望のコンテンツを生成するように該サーバにより使用可能である、第５のコンピュータ読み取り可能プログラムコードと、
各コンテンツアイテムに対して、タイトルと、視覚的アイコンと、説明と、フラグとのうちの少なくとも１つを示すフィード提示を含むウェブページを提供することを該プロセッサに行わせるための第６のコンピュータ読み取り可能プログラムコードと
を含む、コンピュータシステム。
【請求項３４】
コミュニティ情報に対するリクエストを受信することであって、該リクエストは、中核メンバー識別子を含む、ことと、
該中核ユーザメンバー識別子に対応する中核プロフィールのコミュニティ情報を取り出すことと、
該中核ユーザメンバー識別子に対応する該中核プロフィールのコミュニティ情報の複数のコミュニティ識別子のうちの１つ以上を提供することと
をさらに含む、請求項１に記載の方法。